(57)【要約】【課題】  従来の巻上牽引装置を懸吊する形式の装置においては、重量物を昇降する場合大型の装置を必要とし、また、巻上牽引装置の懸吊される長さの調節もできないという課題を有していた。【解決手段】  本体フレーム１に回転可能に支持されるロードシーブ４と、該ロードシーブ４を駆動する手動操作手段３を備え、ロードシーブ４に巻掛され、一端にフック６を備え、チェーンを巻上げ、巻下げする巻上牽引装置において、一端を本体フレーム１に取着し、他端に係着手段８を備えた索条体７を有し、本体フレームに前記索条体７を着脱自在に係着する係着部１２ａを備えたことを特徴とする巻上牽引装置。【選択図】  図１
2005089091.tif 000002
【特許請求の範囲】
【請求項１】
本体フレームに回転可能に支持されるロードシーブと、前記ロードシーブを駆動する手動操作手段と、ロードシーブに巻回され、一端にフックを備えたチェーンを備え、チェーンを巻き上げ、巻き下げする巻上牽引装置において、一端を本体フレームに取着し、他端に係着手段を備えた索条体を有し、本体フレームに前記索条体を着脱自在に係着する係着部を備えたことを特徴とする請求項１記載の巻上牽引装置。
【請求項２】
本体フレームは、本体フレームに揺動自在に取り付けられた取着金具を有し、前記取着金具は、前記索条体を取着する取付部と前記係着手段を着脱自在に係着する係着部を有することを特徴とする巻上牽引装置。
【請求項３】
前記係着手段はフックで、前記係着部は、前記フックを着脱自在に係着する係着孔であることを特徴とする請求項２記載の巻上牽引装置。
【請求項４】
係着部は索条体の任意の位置と着脱自在に係着する係止手段であることを特徴とする請求項１または２記載の巻上牽引装置。
【請求項５】
係着部は取着金具に設けたフックであることを特徴とする請求項２記載の巻上牽引装置。
【請求項６】
索条体はリンクチェーンであることを特徴とする請求項１〜５いずれかに記載の巻上牽引装置。
【発明の詳細な説明】
【技術分野】
【０００１】
本発明は、巻上牽引装置に関するもので、さらに詳しくは巻上牽引装置本体上部に索条体とフック等の係着手段を備えた巻上牽引装置に関するものである。
【背景技術】
【０００２】
従来、巻上牽引装置の本体フレームに回転可能に支持されるロードシーブと、該ロードシーブを駆動する手動操作手段を備え、ロードシーブに掛け回し、一端にフックを備えたチェーンを巻上げ、巻下げする巻上牽引装置において、巻上牽引装置の上部に一端を本体フレームに取着し、他端に係着手段を備えた索条体を設けたものは公知である。（例えば特許文献１参照）この特許文献１に記載された巻上牽引装置は、本体フレームに相当する覆体１、２の上端に、係着手段である上方鈎９を固定した索条体である鎖９'を備えたもので、上方鈎９を係止物に取り付け、下方鈎１０を固定して、レバー１２を回動することで、バンドを強く緊締することができるものである。また、上方鈎９を係止体に取り付け、下方鈎１０に荷物を吊すことで荷物を昇降できる作用をも有するものである。
【特許文献１】実公昭４３−２５２４２号公報（第１項、図１）
【発明の開示】
【発明が解決しようとする課題】
【０００３】
しかしながら従来の巻上牽引装置では、索条体である鎖９'に固定した上方鈎９を係止物に掛けて、下方鈎１０に荷物を掛けて、レバー１２を回動して荷物を吊す場合、鎖９'には荷物の全重量が付加されるため、荷物が金属製重量物等の場合は、荷物の荷重に耐える強度を有するチェーンを備えた大型の巻上牽引装置が必要となり、装置の重量が増加し、装置の搬送にも支障を来たし、かつ、巻上牽引装置を係止物に引掛た場合は、その上下方向にしか荷物を吊り上げることができず、また、上方鈎９を掛ける係止物が太くて、上方鈎９が係止物に引っ掛からない場合には、鎖９'を係止物に掛け回し上方鈎９を鎖９'に係止（チョーク吊り）することとなるが、鎖の強度低下を来たすという課題を有していた。
【課題を解決するための手段】
【０００４】
上記課題を解決するため、本発明の巻上牽引装置は、本体フレームに回転可能に支持されるロードシーブと、前記ロードシーブを駆動する手動操作手段と、ロードシーブに巻回され、一端にフックを備えたチェーンを備え、チェーンを巻き上げ、巻き下げする巻上牽引装置において、一端を本体フレームに取着し、他端に係着手段を備えた索条体を有し、本体フレームに前記索条体を着脱自在に係着する係着部を備えたことを特徴とする。本発明によると、本体フレームは巻上牽引装置を懸吊し、端部にフック等の係着手段を有する索条体と、該索条体を着脱自在に係着する係着部を備えているので、索条体の係着側が細かい係止物があるときは、フックを係止物に係合し、フックを係合できない太い係止物であるときは、索条体を係止物に巻きつけて、フックを本体フレームに設けた係着部に係合固定することで、係合物の太さの大小に関りなく巻上牽引装置を係着することができ、かつ該巻上装置２台を組み合わせることにより、２つの係止物の中間任意の方向に荷を巻上げ下げすることができ、かつ、重い荷物を昇降する場合には、索条体を係止部に巻きつけて係着手段を本体フレームの係着部に係着して固定することにより、索条体に加わる荷重を半分にすることで、小型装置により、重量物の昇降が可能となる。
【０００５】
また、本体フレームは本体フレームに揺動自在に取り付けられた取着金具を有し、前記取着金具は、前記索条体を取着する取付部と前記係着手段を着脱自在に係着する係着部を有することを特徴とし、本体に揺動自在に取着した取着金具を介して本体フレームに索条体を取着したので、１本吊りの場合も、柱や梁、樹木等に索条体を巻きつけて係着手段を本体係着部に係着して吊す２本吊りの場合も取着金具が揺動することにより装置本体に無理な曲げ力が動かず、リンクチェーンの本体への出入り方向も変化せず無理がかからないため巻上げ下げ動作を円滑に行うことができる。
【０００６】
また、前記係着手段はフックで、前記係着部は、前記フックを着脱自在に係着する係着孔であることを特徴とし、簡単な構成で、かつ前記発明と同様の作用、効果を有し、携帯性に好適な巻上牽引装置を提供することができる。
【０００７】
また、係着部は、索条体の任意の位置と脱着自在に係着可能な係着手段であることを特徴とし、本体を懸吊する係止物の太さに応じて、該係止物に巻き付ける索条体の長さの調節が可能となり、かつまた、1本吊する場合であっても、巻上機と引っ掛け部との距離を調整することができる。
【０００８】
また、係着部は取着金具に設けたフックであることを特徴とし、本体を懸吊する係止体と、吊荷との間隔が短い時には取着金具を直接係止体に引っ掛けることが可能となる。
【０００９】
また、索条体は、リンクチェーンであることを特徴とするものである。
【発明の効果】
【００１０】
本発明の巻上牽引装置によれば、本体フレームは巻上牽引装置を懸吊し、端部にフック等の係着手段を有する索条体と、該索条体を着脱自在に係着する係着部を備えているので、索条体の係着側が細い係止物であるときは、フックを係止物に係合し、フックを係合できない太い係止物であるときは、索条体を係止物に巻きつけて、フックを係着部に係合固定することで、係合部の大小に関りなく巻上牽引装置を係止物に係着することができ、かつ該巻上装置２台を組み合わせることにより、２つの係止物の中間位置でかつ任意の方向に荷を巻上げ牽引することができ、かつ、重い荷物を巻上げ牽引する場合には、索条体を係止物に巻きつけて係着手段を本体に設けたフレーム係着部に係着して固定することにより、索条体に加わる荷重を半分にすることで、小型装置により、重量物の巻上げ牽引作業が可能となる。また、このように本発明の巻上装置は、種々の状況に応じた巻上げ牽引作業ができ、携帯性にも優れていて、緊急時の救急活動の現場で人力では動かすことの出来ない重量物の除却、移動、救出作業等への使用に好適である。
【００１１】
また、本体に揺動自在に取着した取着金具を介して本体フレームに索条体を取着したので、１本吊り、または柱や梁、樹木等に索条体を直接巻きつけて係着手段を本体係着部に係着しても、取着金具が揺動することで本体には無理な曲げ力が動かず、リンクチェーンの本体への出入り方向も変化せず無理がかからないため巻上げ下げ動作を円滑に行うことができ、さらに本体を懸吊する固定物の太さに応じて、これに巻き付ける索条体の長さを調整することが可能な効果を有する巻上牽引装置を提供することができる。これらの効果によって、従来、本体を係着する手段として、玉掛ワイヤー等の各種スリングを必要としていたが、、それらの係着道具が要らず、迅速に巻上げ牽引等の移動作業が出来るようになった。
【発明を実施するための最良の形態】
【００１２】
以下、本発明の実施の形態を、図面を参照しながら説明する。
〔実施の形態１〕
図１〜図８を用いて、本発明の実施の形態１の巻上牽引装置について説明する。図１は本発明の係着部にアイ金具を用いた場合の巻上牽引装置の正面図、図２はアイ金具の取付状態を示す側面図、図３は係着部にシャックルを用いた場合の正面図、図４はシャックルの取付状態を示す側面図、図５は上フックとシャックルとの係着状態を示す正面図、図６は係着部にアイボルトを用いた場合の正面図、図７は係着部に係着孔を設けた場合の正面図、図８は本発明の巻上牽引装置の側面図である。図１、２において、１は巻上牽引装置本体、２ａ、２ｂはロードシーブ４を挟んで設けられた左右の一対の本体フレーム、３は手動操作レバー、４はロードシーブ、５はロードシーブ４に巻回し、手動操作レバー３により昇降する昇降チェーン、６は昇降チェーンの下端に設けられた下フック、７は索条体で、本体フレーム２ａ、２ｂのフック取付位置に回動可能に軸着された索条体取付部９に取り付けられている。８は索条体７の上端に設けられた係着手段である上フック、１２ａは本体フレーム２ａ、２ｂ間で、取付軸１３ａで軸支され、中央に開口１６を有する係着部であるアイ金具である。
【００１３】
また、図１、図２に示す形態では、係着部であるアイ金具１２ａを本体フレーム２ａ、２ｂに取付軸１３ａにより直接取り付けているが、以降図３〜図７に示す形態においては、係着部１２ｂ〜１２ｄは、本体フレーム２ａ、２ｂのフック取付位置に取付金具取付手段１１で回動可能に軸着された取付金具１０にそれぞれ取り付けられている。なお、以下の説明において、取付金具１０、係着部１２ｂ〜１２ｄ、取付金具取付手段１１、係着部の取付軸１３以外の構成は、上記した説明と同一であり説明を省略する。
【００１４】
図３〜図５おいて、１０は取付金具で、本体フレーム２ａ、２ｂ間で、従来の巻上牽引装置のフック取付位置に取付金具取付手段１１により回動可能に軸着されている。１２ｂは取付金具１０を挟んで取付軸１３ｂで軸支され、中央に開口１６を有する係着部であるシャックルである。図４、図５は索条体７を索条体を吊す係止物１７に巻きつけ、上フック８を係着部であるシャックル１２ｂの開口１６に係着した状態を示す。図６において、１２ｃは取付金具１０の上面にボルト等の取付手段１３ｃで取設され、中央に開口１６を有する係着部であるアイボルトである。図７において、１２ｄは取付金具１０の側面に設けられた係着部である係着孔である。他の実施例と比較して最も小形化が可能で、携帯性に好適である。上記、図３〜図７において、係着部の形状、構成はそれぞれ異なるが、巻上牽引装置としての操作、動作はいずれも同一である。
〔実施の形態２〕
図９〜図１１を用いて、本発明の実施の形態２の巻上牽引装置について説明する。図９は係着部に係止溝を有するチェーン接続具を用いた場合の正面図、図１０はチェーン接続具が索条体であるチェーンと係合している状態を示す正面図、図１１は索条体であるリンクチェーンを係止体１７に巻回し、チェーン接続具がリンクチェーンと係合している状態を示す正面図である。  図９〜図１１において、１４はチェーン接続具でＵ字型の先端部１４ａを有し、先端部１４ａにリンクチェーンのリンクを嵌合する係止溝部１４ｂを有する。チェーン接続具１４は、接続具取付軸１５により取付金具１０に回動可能に軸着されている。
【００１５】
本実施の形態のチェーン接続具１４は、索条体７がリンクチェーンの場合に用いられ、チェーン接続具１４はリンクチェーン７の任意の位置に直接係着することができるため、巻上牽引装置の吊り長さを調節する場合に好適である。図１０は、上フック８が係止物に係着し、索条体７による１本吊りにより巻上牽引装置本体１で荷物の巻上げ牽引を行う場合の図で、係止物と巻上牽引装置本体１との長さを調節する場合、チェーン接続具１４の係止溝１４ｂをリンクチェーン７のチェーン開口部に嵌合係止し、リンクチェーン７と巻上牽引装置本体１に取設したチェーン接続具１４を結合することにより、リンクチェーン７の長さの調整を容易に行うことができる。
【００１６】
また、図１１は、リンクチェーン７を係止物１７に巻き付けて、先端部をチェーン接続具１４側に垂下し、リンクチェーン７をチェーン接続具１４で係止する場合の図で、前記の場合と同様に、リンクチェーン７の長さの調整を容易に行うことができる。また、上記実施の形態では、チェーン接続具を用いた例として説明したが、索条体７がワイヤロープの場合はワイヤーロープをクサビ作用で係着するワイヤーロープ接続具が用いられ、ベルトの場合にはベルト用バックル等の係止手段が用いられる。
【００１７】
また、索条体７の先端部に備えた係着手段に、上記実施の形態では、フック８を用いた形態を例示したが、これに限定されるものではなく、シャックルやマスターリンク、カラビナ等の環状体を用いることが出来る。この場合の係着部は図９に示すチェーン接続具または後述の図１２に示す係着部１２ｅのような作用を有する係着部が用いられる。
〔実施の形態３〕
図１２、図１３を用いて、本発明の実施の形態３の巻上牽引装置について説明する。本実施の形態は、係着部としてフックを用いたことを特徴とするもので、１２ｅは取付金具１０の一側に設けたフックを示す。フック１２ｅの作用は前記実施の形態１、２における係着部１２ａ〜１２ｄと全く同じであるが、本実施の形態においては、フック１２ｅを係止物１７に直接係着することにより、索条体を用いない従来の巻上牽引装置と同様な使用形態で巻上牽引装置を使用することができる。
〔実施の形態４〕
図１４は巻上牽引装置本体１を２本の索条体で吊す形態を示す。図において、１８は予備スリングで、本実施の形態ではリンクチェーンが用いられ、その先端にはフック１８が設けられている。
【００１８】
以下、図１４を参照して本実施の形態の巻上牽引装置の取付け方法について説明する。本実施の形態において使用する装置は実施の形態２のチェーン接続具１４を用いた装置である。
【００１９】
まず、索条体７を係止物１７に巻き付け、上フック８を垂下し、索条体７に係合させる。次に予備スリング１８の長さを調節し、その下部をチェーン接続具１４に係止させ、該スリング１８を係止物１７に巻き付け、先端のフック１９をスリング１８に係合させることで、巻上牽引装置を索条体７と予備スリング１８とによる２本吊り状態で吊設することが可能となる。この形態は、特に重量物の巻上げ牽引時や荷物を巻上牽引装置の直下で昇降できない場合等において好適である。図１４に示す形態においては、荷物は係止物１７、１７の中間位置において昇降される。
【００２０】
また、この実施の形態においては、チェーン接続具を用いたものとして説明したが、これに限定されるものではない。
【００２１】
係止物としてはフックが係合できるもの、また索条体が巻回でき、かつ荷物の荷重に耐えるものであれば、特に形状は限定されない。また、上記説明において、索条体７を係止物１７に巻回して、上フック等を係着部で係着する索条体による２本吊り形態は索条体に加わる荷重が減減されるため、重量物の巻上げ牽引時に好適である。実施の形態１〜４において、手動操作手段としてレバー３を用いた巻上牽引装置を例示したがレバー形状に替えて鎖車と鎖を手動操作手段とするチェーンブロックに応用できる。
【産業上の利用可能性】
【００２２】
本発明の巻上牽引装置は、本体フレームに巻上牽引装置を係止物に懸吊または係止する、端部にフック等の係着手段を有する索条体と、該索条体を着脱自在に係着する係着部を備えているので、索条体の係着側に細い係止物があるときは、フックを係止物に係合し、フックを係合できない太い係止物であるときは、索条体を係止物に巻きつけて、フックを本体フレームに設けた係着部に係合固定することで、係止物の大小に関りなく巻上牽引装置を係止物に係着することができ、かつ該巻上装置２台を組み合わせることにより、２つの係止物の中間任意の方向に荷を巻上げ牽引することができ、かつ、重い荷物を巻上げ牽引する場合には、索条体を係止物に巻きつけて係着手段を本体フレームに設けた係着部に係着して固定する２本吊りとすることにより、索条体に加わる荷重を半分にすることで、小型装置により、重量物の巻上げ牽引が可能となるため、特に、山間部等の大型装置の運搬が困難な場所等における重量物の巻上げ、巻下げ、牽引、横引き等の移動作業や、災害復旧作業や緊急時の救急活動を行う場合にとくに有用である。
【図面の簡単な説明】
【００２３】
【図１】本発明の巻上牽引装置の係着部にアイ金具を用いた場合の正面図である。
【図２】アイ金具の取付状態を示す側面図である。
【図３】係着部にシャックルを用いた場合の正面図である。
【図４】シャックルの取付状態を示す側面図である。
【図５】上フックとシャックルの係着状態を示す正面図である。
【図６】係着部にアイボルトを用いた場合の正面図である。
【図７】係着部に係着孔を用いた場合の正面図である。
【図８】本発明の巻上牽引機の側面図である。
【図９】係着部に係止溝を有するチェーン接続具を用いた場合の正面図である。
【図１０】チェーン接続具が索条体のチェーンと係合している状態を示す正面図である。
【図１１】索条体が係止物を巻回し、チェーン接続具がチェーンと係合している状態を示す正面図である。
【図１２】係着部をフックとした場合の正面図である。
【図１３】上フックを係着部フックとの係着状態を示す正面図である。
【図１４】２本の索条体を具えた巻上牽引装置の正面図である。
【符号の説明】
【００２４】
１      巻上牽引装置本体
２ａ、２ｂ  本体フレーム
３      操作レバー
４      ロードシーブ
５      昇降チェーン
６      下フック
７      索条体
８      上フック
９      索条体取付部
１０    取付金具
１１    取付金具取付手段
１２ａ、１２ｂ、１２ｃ、１２ｄ、１２ｅ  係着部
１３ａ、１３ｂ、１３ｃ    取付軸
１４    チェーン接続具
１４ａ  先端部
１４ｂ  係止溝部
１５    接続具取付軸
１６    開口
１７    係止物
１８    予備スリング
１９    フック
【図１】
2005089091.tif 000003
【図２】
2005089091.tif 000004
【図３】
2005089091.tif 000005
【図４】
2005089091.tif 000006
【図５】
2005089091.tif 000007
【図６】
2005089091.tif 000008
【図７】
2005089091.tif 000009
【図８】
2005089091.tif 000010
【図９】
2005089091.tif 000011
【図１０】
2005089091.tif 000012
【図１１】
2005089091.tif 000013
【図１２】
2005089091.tif 000014
【図１３】
2005089091.tif 000015
【図１４】
2005089091.tif 000016